(57)【要約】【課題】  固着現象の解除操作に寄与できる釣竿収納袋を提供する。【解決手段】  収納本体１の外面に、この収納本体１で包み込んだ固着竿体を掴み固着解除操作を行うための帯状の滑り止め部５を形成し、この滑り止め部５を、収納本体１における異なる部分３の摩擦係数に比べて高摩擦係数のものに構成してある。【選択図】        図１
2007104988.tif 000002
【特許請求の範囲】
【請求項１】
釣り竿を収納する収納本体の外面に、滑り止め部を形成し、前記滑り止め部の摩擦係数を前記収納本体における前記滑り止め部とは異なる部分の摩擦係数に比べて大きく構成してある釣竿収納体。
【請求項２】
釣り竿を収納する収納本体の内面に、滑り止め部を形成し、前記滑り止め部の摩擦係数を前記収納本体における前記滑り止め部とは異なる部分の摩擦係数に比べて大きく構成してある釣竿収納体。
【請求項３】
前記滑り止め部を、前記収納本体に設けられる取付台部と、その取付台部に対して着脱自在な滑り止め部材とで構成し、前記滑り止め部材に滑り止め面を設けてある請求項１または２記載の釣竿収納体。
【発明の詳細な説明】
【技術分野】
【０００１】
本発明は、釣竿を収納する収納袋や収納ケースで代表される釣竿収納体に関する。
【背景技術】
【０００２】
釣竿収納体の使用形態としては、収納本体内に竿を収納し、釣り場を移る場合や釣り場への往復時に携行するものである。その為に、収納本体の外面には、吊り下げ用の提げベルトが設けられているだけであり、その他の機構を設けるとしても、収納竿を保持する為の保持部を設けたり、釣り針等の小物を入れる収納部が設けられていることがあるだけである（特許文献１参照）。
【０００３】
【特許文献１】特開平１１−２７６０４７号公報（段落番号〔００１３〕、〔００１４〕，及び、図１，２）
【発明の開示】
【発明が解決しようとする課題】
【０００４】
一般に、振り出し竿においては、小径竿体の竿尻端部を大径竿体の竿先端部に内嵌圧接させて、伸長状態を維持する構成を採っている。
そして、圧接嵌合状態で圧接部分に水分等が混在している場合には、その水分が圧接部分に遍く拡がって、圧接状態をより強力なものとする。これにより、仕舞い処理する為に、小径竿体を大径竿体内に収納しようとしても、通常の操作力では収納できないことがある。この現象を固着状態と称している。
このような固着現象が生じた場合に、その固着現象を解除する際に、釣竿収納体を有効に活用できれば、好都合である。
【０００５】
本発明の目的は、固着現象の解除操作に寄与できる釣竿収納体を提供する点にある。
【課題を解決するための手段】
【０００６】
〔構成〕
請求項１に係る発明の特徴構成は、釣り竿を収納する収納本体の外面に滑り止め部を形成し、前記滑り止め部の摩擦係数を前記収納本体における前記滑り止め部とは異なる部分の摩擦係数に比べて大きく構成してある点にあり、その作用効果は次の通りである。
【０００７】
〔作用〕
つまり、固着状態を生じた釣竿に対して、滑り止め部を当て付けて釣竿を釣竿収納体で包み込み、その滑り止め部と釣竿とを手で握って固着解除操作を行う。この場合に、滑り止め部が高摩擦係数であるので、固着解除操作する際に手が滑り難く固着力に対して十分な解除力を付与することができる。
【０００８】
〔効果〕
このように、釣竿収納体に滑り止め部を設けるだけの簡単な改造を施すことによって、釣竿収納体を、固着解除操作具に兼用することができ、釣り場に常に携行されている釣竿収納体の有効利用が図られたのである。
【０００９】
請求項２に係る発明の特徴構成は、釣り竿を収納する収納本体の内面に滑り止め部を形成し、前記滑り止め部の摩擦係数を前記収納本体における前記滑り止め部とは異なる部分の摩擦係数に比べて大きく構成してある点にあり、その作用効果は次の通りである。
【００１０】
〔作用効果〕
請求項１に係る発明についての作用効果とともに、次ぎのような作用効果をそうする。つまり、滑り止め部が本体ケース部の内面に形成されているので、その滑り止め部が汚損されることが少なく、長期に亘って滑り止め機能を有効に発揮するものとなる。
【００１１】
請求項３に係る発明の特徴構成は、請求項１または２記載の釣竿収納ケースにおいて、前記滑り止め部を、前記本体ケース部に設けられる取付台部と、その取付台部に対して着脱自在な滑り止め部材とで構成し、前記滑り止め部材に滑り止め面を設けてある点にあり、その作用効果は次の通りである。
【００１２】
〔作用効果〕
請求項１または２に係る発明に対する作用効果とともに、次ぎのような、作用効果を奏することができる。つまり、滑り止め部として着脱自在な滑り止め部材に構成することによって、固着状態を解除する際に、釣竿収納ケース自体を固着竿体に巻き付けて解除操作を行うことが困難である場合や、解除操作が容易に行えない場合には、滑り止め部材を取り外してその滑り止め部材だけを固着竿体に取付けて、解除操作を行うことができるので、釣竿収納ケースを握り保持する必要がなく、解除操作を容易に行えるようになった。
一方、滑り止め部材をケース本体部に取り付けた状態でも固着解除操作を行うことが出来る場合には、滑り止め部材を取外す必要はない。
このように、二様の使用方法の選択が可能である。
【発明を実施するための最良の形態】
【００１３】
〔第１実施形態〕
釣竿収納体として釣竿収納袋Ａを使用する場合について説明する。図１に示すように、釣竿収納袋Ａは、釣り竿Ｂを収納する布又は樹脂繊維製の収納本体１の一端に開口１ａが形成され、その開口１ａを開閉する蓋部材２が設けてある。収納本体１の外面二箇所に、固着解除操作用の滑り止め部５が設けられている。
【００１４】
前記滑り止め部５を使用することとなる、釣り竿の固着状態について説明する。図４に示すように、釣り竿Ｂにおける小径竿体６の竿尻端部に外向膨出部６Ａを形成するとともに、大径竿体７の竿先端部に内向嵌合部７Ａを形成し、小径竿体６を大径竿体７から引き出した伸長状態で小径竿体６の外向膨出部６Ａを大径竿体７の内向嵌合部７Ａに圧接嵌合させて、伸長状態を維持する構成を採っている。
【００１５】
上記した圧接嵌合状態で圧接部分に水分等が混在している場合には、その水分が圧接部分に遍く拡がって、圧接状態をより強力なものとする。これにより、仕舞い処理する為に、小径竿体６を大径竿体７内に収納しようとしても、通常の操作力では収納できないことがある。この現象を固着状態と称している。
【００１６】
上記した固着状態を解除する為に、解除操作の補助具として竿の収納袋Ａの利用を図る。その為に、図１及び図４に示すように、収納本体１の軸線方向に沿った二箇所に、帯状薄肉の滑り止め部５，５を形成する。滑り止め部５，５は、収納本体１の一部を担うものであり、滑り止め部５，５とは異なる部分３を形成する生地とともに作り込まれる。
このように、二箇所に滑り止め部５，５を形成することによって、図２に示すように、収納本体１の滑り止め部５を施した外面に固着状態を生じた釣り竿Ｂを当てつけて、この釣り竿Ｂを収納本体１で包み込む。この包み込んだ状態で、図３に示すように、二箇所の滑り止め部５，５に手を沿えて収納本体１と釣り竿Ｂとを握り込む。この状態で固着状態に陥った釣り竿Ｂの小径竿体６を大径竿体７内に押し込んだり捩じりを加えたりする操作を行って、固着状態を解除する。
【００１７】
この押し込んだり捩じりを加えたりする際には、収納本体１がその弾性変形力によって縮み変形を生じたり、捩じり変形を生じたりして、固着解除操作を阻害することとはない。
滑り止め部５を形成する材料としては、滑り止め部５，５とは異なる部分３の外面に比べて摩擦係数の高い、皮、ゴム、ハイカコルク（ゴムとコルクの混合品）等が使用される。
【００１８】
〔第２実施形態〕
釣り竿収納袋Ａの収納本体１の内面に釣り竿Ｂを収納して固着解除操作を行うこととなる。第１実施形態で示したように、滑り止め部５は他の生地とともに作り込まれているので、収納本体１の内面側にも滑り止め部５が表出することとなるので、固着解除にこの部分を使用することとなる。つまり、図５に示すように、収納本体１の開口１ａより釣り竿Ｂを差込み、小径竿体６と大径竿体７との固着位置を両滑り止め部５，５の間に位置するように釣り竿Ｂを差し込むこととする。この場合に、深く差し込むことができるように、図示はしていないが、収納本体１の底部に開口を設けて釣り竿Ｂの先端側がその孔より突出することを許す開口を設けてもよい。この開口は通常時においては、蓋で閉塞できるようにする。
【００１９】
〔第３実施形態〕
滑り止め部５，５を構成する滑り止め部材として、釣り竿収納ケースＡの本体ケース部１Ａに取り付けた滑り止めベルトを採用する形態について説明する。図６に示すように、釣り竿収納ケースＡは、ファスナー１Ｂによって左右に開き状態となる樹脂製の本体ケース部１Ａと吊り下げベルト１Ｃとを備えた、複数本の竿を収納するケースである。
【００２０】
図６及び図７に示すように、本体ケース部１Ａの外面と滑り止めベルト５とに面ファスナー１Ｄ、５Ａを取り付け、滑り止めベルト５を本体ケース部１Ａに対して着脱自在に構成する。ここに、本体ケース部１Ａの外面に設けられた面ファスナー１Ｄを取付台部と称する。滑り止めベルト５を滑り止め部材と称する。
【００２１】
滑り止めベルト５，５を本体ケース部１Ａから取り外し、図７に示すように、固着状態に陥っている小径竿体６と大径竿体７とに対して、夫々、滑り止め面５Ｂを小径竿体６と大径竿体７の外面に接触させるようにかつ面ファスナー面５Ａを表となるように巻付けて固定し、図８に示すように、滑り止めベルト５、５の上から小径竿体６と大径竿体７とを握って固着解除操作を行うことができる。
【００２２】
〔別実施形態〕
（１）  滑り止め部５を形成するのに、第１、第２実施形態では、収納本体１の一部を構成するものとして記載したが、収納本体１の生地に対して、別個に構成した滑り止め部材を収納本体１の外面又は内面に直接取り付け固定する構成であってもよい。
（２）  前記した第１、第２実施形態では、釣り竿収納袋Ａという外装が柔軟性の高い材料で形成されたものに使用したが、固着した釣り竿Ｂに巻き付けて解除操作が可能であれば、釣竿収納袋Ａに比べると保形性の高い釣竿収納ケースＡの内外面に滑り止め部５，５を設けてもよい。
（３）  滑り止めベルト５を釣竿収納ケースＡの内面に設けてもよい。
【図面の簡単な説明】
【００２３】
【図１】釣竿収納袋を示し、固着した釣り竿を収納する前の状態を示す斜視図
【図２】固着した釣り竿を釣竿収納袋の滑り止め部に載せる状態を示す斜視図
【図３】釣り竿と釣竿収納袋とを伴握りして固着状態を解除する状態を示す斜視図
【図４】固着状態に至った釣り竿に釣竿収納袋を巻き付けた状態を示す縦断側面図
【図５】固着状態に至った釣り竿を釣竿収納袋に収納して解除操作を加える前の状態を示す斜視図
【図６】釣り竿収納ケースの外面に滑り止めベルトを取り付けた状態を示す斜視図、
【図７】固着状態に至った釣り竿を滑り止めベルトの上に載置した状態を示す斜視図
【図８】釣り竿と滑り止めベルトとを伴握りして固着状態を解除する状態を示す斜視図
【符号の説明】
【００２４】
１            収納本体
１Ａ          本体ケース部
１Ｄ          取付台部
５            滑り止め部
【図１】
2007104988.tif 000003
【図２】
2007104988.tif 000004
【図３】
2007104988.tif 000005
【図４】
2007104988.tif 000006
【図５】
2007104988.tif 000007
【図６】
2007104988.tif 000008
【図７】
2007104988.tif 000009
【図８】
2007104988.tif 000010